(57)【要約】【課題】他の通信端末の状態に関する情報のユーザへの報知（通知）を制御および管理することで、ユーザが必要とする他の通信端末の状態に関する情報のみを受信側通信端末のユーザに報知し得る通信端末を提供する。【解決手段】本発明の通信端末１２０；端末Ａ、１３０；端末Ｘ，１４０；端末Ｙ，１５０；端末Ｚは、アドホック通信制御部１７０と、アドホック通信制御部１７０で受信される信号の受信品質を判定する受信品質判定部（電波強度測定部１８０，制御部２２０）と、アドホック通信制御部１７０で受信される他の通信端末の状態に関する情報に基づいて、当該他の通信端末の状態を報知（通知）する通知メッセージ管理部２００とを備え、通知メッセージ管理部２００は、前記受信品質判定部により判定される前記他の通信端末の状態に関する情報の受信品質に基づいて、当該他の通信端末の状態を報知する。【選択図】図１
2009206711.tif 000002
【特許請求の範囲】
【請求項１】
近距離無線通信部と、
前記近距離無線通信部で受信される信号の受信品質を判定する受信品質判定部と、
前記近距離無線通信部で受信される他の通信端末の状態に関する情報に基づいて、当該他の通信端末の状態を報知する報知部と、
を備え、
前記報知部は、前記受信品質判定部により判定される前記他の通信端末の状態に関する情報の受信品質に基づいて、当該他の通信端末の状態を報知することを特徴とする通信端末。
【請求項２】
前記報知部は、前記受信品質判定部により、前記他の通信端末の状態に関する情報の受信品質が所定値以上であると判定された場合に、当該他の通信端末の状態を報知しないことを特徴とする請求項１に記載の通信端末。
【請求項３】
前記報知部は、前記受信品質判定部により、前記他の通信端末の状態に関する情報の受信品質が所定値未満であると判定された場合に、当該他の通信端末の状態を報知しないことを特徴とする請求項１に記載の通信端末。
【発明の詳細な説明】
【技術分野】
【０００１】
本発明は、アドホック通信等の近距離無線通信を使用して情報の報知を行うことができる通信端末に関するものである。
【背景技術】
【０００２】
図８に示すように、Bluetooth 等の近距離無線通信機能を内蔵した携帯電話（端末Ａ；通信端末３００）は、自端末への着信（図示例では基地局からの音声着信）等の情報を近距離無線通信によって他の通信端末へ報知（ブロードキャスト）することが可能である。携帯電話等の通信端末から近距離無線通信によって着信等の情報の報知（通知）を受信可能な通信端末は既に販売されており、図８にはそのような通信端末として腕時計３０１およびヘッドセット３０２が例示されている。図８に示す従来例では、携帯電話（端末Ａ）３００は、着信があったときに、着信したこと（イベント）を近距離無線通信を使って他の通信端末である通信端末３０１，３０２に報知（通知）し、その報知（通知）を端末Ａとの近距離無線通信可能エリア内の通信端末３０１，３０２が受信すると、指定された方法で上記着信がユーザに報知（通知）される。
【０００３】
また、特許文献１に記載の従来例では、着信があったときに、電話装置がユーザの有無をユーザに携行されたＲＦＩＤタグによって検知し、検知結果に基づいて着信音の音量を制御するようにしている。これにより、電話装置の近傍にユーザがいないときに着信音の音量を大きくして電話装置から離れているユーザが着信音が聞きと取れるようにするとともに、電話装置の近傍にユーザがいるときに着信音の音量を小さくすることによって、ユーザに快適な着信音を提供するようにしている。
【特許文献１】特開２００６−１０９０６８号公報
【発明の開示】
【発明が解決しようとする課題】
【０００４】
図８に示す従来例では、近距離無線通信機能を内蔵した通信端末である携帯電話（端末Ａ）３００において着信を近距離無線通信によって他の通信端末３０１，３０２に報知（通知）した場合、端末Ａの近距離無線通信可能エリア内（図８に点線で示す円の内部）に近距離無線通信機能を内蔵した通信端末があれば、当該通信端末のユーザへの報知（通知）の要・不要に拘わらず、指定された方法で、常に当該通信端末のユーザに着信が報知（通知）されることになる。その結果、着信中の携帯電話がユーザの目の前にあるときなど着信の報知（通知）が不要な場合にも着信の報知（通知）が行われてしまい、当該通信端末のユーザの報知（通知）の要・不要の希望が反映されない。また、ユーザが携帯電話等の通信端末を複数台保有している場合に、ユーザが常に複数台の通信端末の状態を確認するということが少ないため、気付いたらバッテリが減っている等のシステムの状態を見逃すことも多々ある。
また、特許文献１に記載の従来例では、ＲＦＩＤタグを用いてユーザの有無を検知し、その検知結果に基づいて着信音の音量を制御するようにしているので、ユーザは常にＲＦＩＤタグを持ち歩く必要があり、ユーザがＲＦＩＤタグを持っていなければ所望の音量制御効果が得られない。
【０００５】
本発明は、他の通信端末の状態に関する情報を受信した通信端末の報知部によって、当該他の通信端末の状態に関する情報のユーザへの報知を制御および管理することにより、ユーザが必要とする他の通信端末の状態に関する情報のみをユーザに報知することができる通信端末を提供することを目的とする。
【課題を解決するための手段】
【０００６】
上記目的を達成するため、本発明の請求項１に係る通信端末は、近距離無線通信部と、前記近距離無線通信部で受信される信号の受信品質を判定する受信品質判定部と、前記近距離無線通信部で受信される他の通信端末の状態に関する情報に基づいて、当該他の通信端末の状態を報知する報知部と、を備え、前記報知部は、前記受信品質判定部により判定される前記他の通信端末の状態に関する情報の受信品質に基づいて、当該他の通信端末の状態を報知することを特徴とする。
【０００７】
上記本発明の請求項１に係る通信端末の好適例としては、前記報知部は、前記受信品質判定部により、前記他の通信端末の状態に関する情報の受信品質が所定値以上であると判定された場合に、当該他の通信端末の状態を報知しないこと、および、前記報知部は、前記受信品質判定部により、前記他の通信端末の状態に関する情報の受信品質が所定値未満であると判定された場合に、当該他の通信端末の状態を報知しないこと、がある。
【発明の効果】
【０００８】
本発明によれば、報知部は、受信品質判定部により判定される他の通信端末の状態に関する情報の受信品質に基づいて、当該他の通信端末の状態を報知するから、他の通信端末の状態に関する情報を受信した通信端末の報知部によって、当該他の通信端末の状態に関する情報のユーザへの報知が制御および管理されることになる。したがって、ユーザが必要とする他の通信端末の状態に関する情報のみをユーザに報知することができる通信端末を提供することができる。
【発明を実施するための最良の形態】
【０００９】
以下、本発明を実施するための最良の形態を図面に基づき詳細に説明する。
図１は本発明の通信端末を含む無線通信システムの概略構成を示す図である。本発明の無線通信システムは、近距離無線通信としてアドホック通信を用いる場合の、所定の通信端末（この場合、端末Ａ）とのアドホック通信の受信可能エリア（以下、アドホックエリアという）１００の外部にある基地局１１０と、アドホックエリア１００の内部にある通信端末（端末Ａ）１２０、通信端末（端末Ｘ）１３０、通信端末（端末Ｙ）１４０、通信端末（端末Ｚ）１５０等から成る。アドホックエリア１００は、無線ＬＡＮを利用したアドホック通信の場合、一般的に、直径２００ｍ〜３００ｍ程度の範囲（見通し距離の場合）を有している。近距離無線通信としてアドホック通信を用いる代わりに、Bluetooth を用いてもよい。以下においては、通信端末（端末Ａ）１２０および通信端末（端末Ｚ）１５０が携帯電話であり、通信端末（端末Ｘ）１３０が近距離無線通信機能を有するパーソナルコンピュータ（ＰＣ）であり、通信端末（端末Ｙ）１４０が近距離無線通信機能を有するＰＤＡであり、全ての通信端末がアドホック通信可能な状態になっている場合を例に挙げて説明を展開する。なお、ある端末が他の端末に着信等の自端末の状態に関する情報を近距離無線通信によって伝達する場合、当該近距離無線通信の受信可能エリア内の全ての端末に情報が伝達されるので「情報の報知」であるが、以下においては、「情報の報知」を「情報の通知」ともいうことにする。
【００１０】
図２は本発明の無線通信システムに用いる通信端末（通信端末１２０、通信端末１３０、通信端末１４０、通信端末１５０）の機能ブロック図である。本発明の通信端末（端末Ａ、端末Ｘ、端末Ｙ、端末Ｚ）は、図２に示すように、アンテナ１６０と、アドホック通信制御部１７０と、電波強度測定部１８０と、イベント検出部１９０と、通知メッセージ管理部２００と、表示部２１０と、制御部２２０と、記憶部２３０と、入力部２４０とを具備して成る。
【００１１】
アドホック通信制御部１７０は、近距離無線通信の一例であるアドホック通信の送受信を制御する近距離無線通信部として機能するものである。
電波強度測定部１８０は、アドホック通信制御部１７０で受信される信号の電波強度を測定するものである。
イベント検出部１９０は、着信や電池の消耗（ローバッテリ）等の他の通信端末の状態（以下、イベントという）を検出するものである。
通知メッセージ管理部２００は、アドホック通信制御部１７０で受信される他の通信端末の状態に関する情報（以下、イベント情報という）に基づいて、当該他の通信端末の状態を報知する報知部として機能するものである。
表示部２１０は、各種情報を表示するものである。
制御部２２０は、アドホック通信制御部１７０、電波強度測定部１８０、イベント検出部１９０、通知メッセージ管理部２００、表示部２１０、記憶部２３０および入力部２４０の動作を制御するものであるとともに、電波強度測定部１８０で測定されたアドホック通信制御部１７０で受信される信号の受信品質を判定する受信品質判定部として機能するものである。
記憶部２３０は、各種情報を記憶するものである。
入力部２４０は、各種情報やコマンド等を入力するものである。
【００１２】
図３は本発明の通信端末（端末Ａ）がアドホック通信が可能な他の通信端末に対して報知する端末Ａの状態（イベント）の設定例を示す図である。
イベント１は、『音声着信が発生したときに、「電話です」というメッセージを通知する』というように設定されている。
イベント２は、『メールを受信したときに、「メールを受信しました」というメッセージを通知する』というように設定されている。
イベント３は、『ローバッテリを検出したときに、「充電してください」というメッセージを通知する』というように設定されている。
イベント４は、『スケジューラ設定時刻の５分前になったら、「５分前です」というメッセージを通知する』というように設定されている。
【００１３】
図４は本発明の通信端末（端末Ｙ）で受信したイベント情報の受信履歴を例示する図である。このイベント情報受信履歴は、イベント内容およびイベント通知日時を表示しており、以下のことを意味している。なお、ここでは端末Ａから報知（通知）されたイベント情報のみを例示しているが、端末Ｘ、端末Ｙ、端末Ｚがイベント通知メッセージの通知元端末になる場合もある（後述する図６を参照のこと）。
図４におけるイベント内容１の「［端末Ａ］電話です→端末Ｚでイベント通知確認済」は、「端末Ａに音声着信があり、着信通知のイベント通知メッセージを端末Ｚで確認したこと」を示している。
図４におけるイベント内容２の「［端末Ａ］メールを受信しました→未確認」は、「端末Ａがメールを受信し、メール受信通知のイベント通知メッセージは未確認であること」を示している。
図４におけるイベント内容３の「［端末Ａ］充電して下さい→端末Ａでイベント確認済」は、「端末Ａがローバッテリを検出し、ローバッテリ通知のイベント通知メッセージを端末Ａ自身で確認したこと」を示している。
【００１４】
［第１実施形態］
第１実施形態は、受信品質判定部（制御部２２０および電波強度測定部１８０）により端末Ａのイベント情報の受信品質が所定値（閾値）以上である（端末Ａとのアドホック通信の受信レベル≧閾値）と判定された場合に、各端末の通知メッセージ管理部２００が当該端末Ａのイベントを報知（通知）しない設定例に対応するものである。以下、図１および図３〜図５を用いて、端末Ａに対する音声着信時の動作例を説明する。なお、「端末Ａとのアドホック通信の受信レベル≧閾値と判定された場合に、通知メッセージ管理部２００が当該端末Ａのイベントを報知（通知）しない設定」は、全ての受信側の通信端末において設定してあるものとする。
まず、図１のａおよび図５に示すように、基地局１１０から端末Ａに音声着信がなされると（メール着信がなされた場合も同様である）、端末Ａは、図３のイベント設定を確認する。このとき、音声着信には「イベント通知」が設定されているので、図５に例示するイベント通知メッセージ２５０を作成する。次に、端末Ａは、図１のｂおよび図５に示すように、アドホック通信を利用してイベント通知メッセージ２５０を他の端末（端末Ｘ、端末Ｙ、端末Ｚ）に報知（ブロードキャスト）する。この場合、イベント通知メッセージの通知元端末は端末Ａであり、イベント通知メッセージの通知先端末は端末Ｘ、端末Ｙ、端末Ｚである。
【００１５】
端末Ａからのイベント通知メッセージ２５０を受信した他の端末である端末Ｘ、端末Ｙ、端末Ｚはそれぞれ、端末Ａとのアドホック通信の受信レベルを測定する。このとき、端末Ｘは、端末Ａとのアドホック通信の受信レベルが予め設定された閾値よりも高いエリア１０１内にあるので、何もせずに通知メッセージ２５０を破棄する。一方、端末Ｙおよび端末Ｚは、エリア１０１に入っておらず端末Ａとのアドホック通信の受信レベルが予め設定された閾値よりも低いので、図１のｃに示すように、ユーザに指定された方法でイベント通知メッセージ２５０の通知（メッセージ表示による通知、音やＬＥＤによる通知、バイブレータ等による通知の内の、指定された少なくとも１つの通知）を行った後、図４に例示するイベント受信履歴への登録を行う。
【００１６】
このイベント通知メッセージ２５０の通知に対し、図１のｄおよび図５に示すように、ユーザによるイベント通知の確認が行われると、図５に例示するイベント確認通知メッセージ２５１を、図１のｅおよび図５に示すようにして、イベント送信元の端末Ａにアドホック通信を利用して送信する。端末Ａは、イベント確認通知メッセージ２５１を受信すると、図５に例示するイベント確認済通知メッセージ２５２を、図１のｆおよび図５に示すようにして、他の端末（端末Ｘ、端末Ｙ、端末Ｚ）に対してアドホック通信を利用して報知（ブロードキャスト）する。端末Ａからのイベント確認済通知メッセージ２５２を受信した端末Ｘは、先に受信したイベント通知メッセージ２５０が破棄されたためイベント受信履歴に登録されておらず、イベント通知メッセージ２５０に対して何もしていないので、イベント確認済通知メッセージ２５２を破棄する。一方、端末Ａからのイベント確認済通知メッセージ２５２を受信した端末Ｙおよび端末Ｚは、ユーザへのイベント通知メッセージ２５０の通知を終了させて画面表示等をイベント通知メッセージ２５０の受信前の状態に戻した後、図１のｇおよび図４に例示するように、イベント受信履歴のイベント内容を「イベント確認済」にするイベント受信履歴の更新を行う。
【００１７】
［第１実施形態の他の動作例］
次に、基地局１１０、端末Ａ、端末Ｘ、端末Ｙ、端末Ｚが図１と同一の位置関係になっているときの端末Ｚに対する音声着信時の動作例を図６および図３〜び図５に基づいて説明する。この場合、イベント通知メッセージの通知元端末は端末Ｚであり、イベント通知メッセージの通知先端末は端末Ａ、端末Ｘ、端末Ｙであるため、端末Ａのアドホックエリア１００、端末Ｚのアドホックエリア１００および端末Ｚとのアドホック通信の受信レベルが予め設定された閾値よりも高いエリア１０１は、図６に示す位置関係になる。
まず、図６において、ａに示すように、基地局１１０から端末Ｚに音声着信がなされると、端末Ｚは、図３のイベント設定を確認する。このとき、音声着信には「イベント通知」が設定されているので、図５に例示するイベント通知メッセージ２５０を作成する。次に、端末Ｚは、図６のｂに示すように、アドホック通信を利用してイベント通知メッセージ２５０を他の端末（端末Ａ、端末Ｘ、端末Ｙ）に報知（ブロードキャスト）する。このとき、端末Ｘおよび端末Ｙは、端末Ｚのアドホックエリア１００の圏外にあって端末Ｚからの電波を受信できないので、何もしない。
【００１８】
端末Ａからのイベント通知メッセージ２５０を受信した端末Ａは、端末Ｚとのアドホック通信の受信レベルを測定する。このとき、端末Ａは、端末Ｚとのアドホック通信の受信レベルが予め設定された閾値よりも高いエリア１０１に入っておらず端末Ａとのアドホック通信の受信レベルが予め設定された閾値よりも低いので、図６のｃに示すように、ユーザに指定された方法でイベント通知メッセージ２５０の通知（メッセージ表示による通知、音やＬＥＤによる通知、バイブレータ等による通知の内の、少なくとも１つの指定された通知）を行った後、図４に例示するイベント受信履歴への登録を行う。以下の動作は図１と同様であるため、説明を省略する。
【００１９】
第１実施形態では、近距離無線通信（アドホック通信）を使用して、携帯電話である端末Ａへの着信等のイベント情報を他の近距離無線通信が可能な通信端末に対して報知（通知）する際に、イベント情報の受信側の通信端末である端末Ｘ、端末Ｙ、端末Ｚで電波の状態（受信レベル）を監視して、端末Ａとのアドホック通信の受信レベルが閾値未満であるイベント情報のみをユーザへ報知（通知）するようにしている。これにより、従来例では、ブロードキャストによって報知されたイベント情報の全てが予め指定された方法によってユーザに報知（通知）されていたが、第１実施形態では、イベント情報の受信側（通知先）の通信端末である端末Ｘ、端末Ｙ、端末Ｚで、通知メッセージ管理部２００がユーザへのイベント情報の報知（通知）を、端末Ａとのアドホック通信の受信レベルが閾値未満であるイベント情報のみに制限するので、ユーザが必要とする他の通信端末の状態に関する情報のみをユーザに報知（通知）することができるようになる。
例えば、自宅等において、携帯電話を充電している部屋とは異なる部屋で着信を知りたい場合に、他の通信端末において着信表示を行う場合には、受信レベルが所定値未満のイベント情報（携帯電話とのアドホック通信の受信レベルが閾値未満であるイベント情報）のみによって着信表示を行うこと（言い換えれば、携帯電話を充電している部屋から離れた場所にある通信端末のみに対して着信表示を行うこと）が可能になる。
【００２０】
また、特許文献１に記載の従来例では、ユーザが常にＲＦＩＤタグを持ち歩く必要があったが、第１実施形態では、イベント情報の受信側の通信端末がユーザへ通知するかどうかを判断するので、ユーザが常にＲＦＩＤタグを持ち歩く必要もない。
【００２１】
また、第１実施形態では、他の通信端末に報知（通知）する「自端末の状態に関する情報（イベント情報）」を「着信」に限定せず、「メール受信」や「ローバッテリ」等のイベント情報も報知（通知）できるようにすることにより、携帯電話や携帯端末等の通信端末を複数台保有している場合であっても、何れか１つの通信端末で受信したイベント情報を確認するだけで、他の近距離無線通信が可能な通信端末（イベント情報の通知元の通信端末）の状態を把握することが可能になる。
【００２２】
さらに、第１実施形態では、報知（通知）されたイベント情報を受信可能な通信端末の何れか１つで内容が確認された場合には、確認した通信端末からイベント情報の通知元の通信端末を含む他の近距離無線通信が可能な全ての通信端末にイベント確認済通知メッセージが送信されて、確認した通信端末および他の近距離無線通信が可能な全ての通信端末のイベント情報受信履歴に「イベント確認済」という情報が残るようにするので、複数の通信端末にイベント情報の報知（通知）を行ったため異なる通信端末で同じイベント情報を何度も確認するということを防止することができる。つまり、「イベント情報（イベント通知メッセージ）」を近距離無線通信エリア内の通信端末で共有化し、「確認結果に関する情報（イベント確認済通知メッセージ）」も他の通信端末と同期を取って共有化することが可能になる。
【００２３】
［第２実施形態］
第２実施形態は、受信品質判定部（制御部２２０および電波強度測定部１８０）により端末Ａのイベント情報の受信品質が所定値（閾値）未満である（端末Ａとのアドホック通信の受信レベル＜閾値）と判定された場合に、通知メッセージ管理部２００が当該端末Ａのイベントを報知（通知）しない設定例に対応するものである。以下、図７および図３〜図５を用いて、端末Ａに対する音声着信時の動作例を説明する。なお、「端末Ａとのアドホック通信の受信レベル＜閾値と判定された場合に、通知メッセージ管理部２００が当該端末Ａのイベントを報知（通知）しない設定」は、全ての受信側の通信端末において設定してあるものとする。
まず、図７のａに示すように、基地局１１０から端末Ａに音声着信がなされると（メール着信がなされた場合も同様である）、端末Ａは、図３のイベント設定を確認する。このとき、音声着信には「イベント通知」が設定されているので、図５に例示するイベント通知メッセージ２５０を作成する。次に、端末Ａは、図７のｂおよび図５に示すように、アドホック通信を利用してイベント通知メッセージ２５０を他の端末（端末Ｙ、端末Ｚ）に報知（ブロードキャスト）する。この場合、イベント通知メッセージの通知元端末は端末Ａであり、イベント通知メッセージの通知先端末は端末Ｙ、端末Ｚである。
【００２４】
端末Ａからのイベント通知メッセージ２５０を受信した他の端末である端末Ｙ、端末Ｚはそれぞれ、端末Ａとのアドホック通信の受信レベルを測定する。このとき、端末Ｙは、端末Ａとのアドホック通信の受信レベルが予め設定された閾値よりも高いエリア１０１内にあるので、図７のｃに示すように、ユーザに指定された方法でイベント通知メッセージ２５０の通知（メッセージ表示による通知、音やＬＥＤによる通知、バイブレータ等による通知の内の、指定された少なくとも１つの通知）を行った後、図４に例示するイベント受信履歴への登録を行う。一方、端末Ｚは、エリア１０１に入っておらず端末Ａとのアドホック通信の受信レベルが予め設定された閾値よりも低いので、何もせずに通知メッセージ２５０を破棄し、着信表示を行わない。
【００２５】
このイベント通知メッセージ２５０の通知に対し、図７のｄに示すように、ユーザによるイベント通知の確認が行われると、図５に例示するイベント確認通知メッセージ２５１を、図７のｅに示すようにして、イベント送信元の端末Ａにアドホック通信を利用して送信する。端末Ａは、イベント確認通知メッセージ２５１を受信すると、図５に例示するイベント確認済通知メッセージ２５２を、図７のｆおよび図５に示すようにして、他の端末（端末Ｙ、端末Ｚ）に対してアドホック通信を利用して報知（ブロードキャスト）する。端末Ａからのイベント確認済通知メッセージ２５２を受信した端末Ｙは、ユーザへのイベント通知メッセージ２５０の通知を終了させて画面表示等をイベント通知メッセージ２５０の受信前の状態に戻した後、図７のｇおよび図４に例示するように、イベント受信履歴のイベント内容を「イベント確認済」にするイベント受信履歴の更新を行う。一方、端末Ａからのイベント確認済通知メッセージ２５２を受信した端末Ｚは、先に受信したイベント通知メッセージ２５０が破棄されたためイベント受信履歴に登録されておらず、イベント通知メッセージ２５０に対して何もしていないので、イベント確認済通知メッセージ２５２を破棄する。
【００２６】
第２実施形態では、近距離無線通信（アドホック通信）を使用して、携帯電話である端末Ａへの着信等のイベント情報を他の近距離無線通信が可能な通信端末に対して報知（通知）する際に、イベント情報の受信側の通信端末である端末Ｙ、端末Ｚで電波の状態（受信レベル）を監視して、端末Ａとのアドホック通信の受信レベルが閾値以上であるイベント情報のみをユーザへ報知（通知）するようにしている。これにより、従来例では、ブロードキャストによって報知されたイベント情報の全てが予め指定された方法によってユーザに報知（通知）されていたが、第２実施形態では、イベント情報の受信側（通知先）の通信端末である端末Ｙ、端末Ｚで、通知メッセージ管理部２００がユーザへのイベント情報の報知（通知）を、端末Ａとのアドホック通信の受信レベルが閾値以上であるイベント情報のみに制限するので、ユーザが必要とする他の通信端末の状態に関する情報のみをユーザに報知（通知）することができるようになる。
例えば、例えば、出先等において、携帯電話等の通信端末を鞄などに入れておき、その通信端末から身につけている他の通信端末に着信通知を送ることを想定して、他の通信端末において着信表示を行うために、受信レベルが所定値未満のイベント情報（携帯電話とのアドホック通信の受信レベルが閾値以上であるイベント情報）のみによって着信表示を行うこと（言い換えれば、携帯電話を入れた鞄の近くにある通信端末のみに対して着信表示を行うこと）が可能になる。
【００２７】
また、特許文献１に記載の従来例では、ユーザが常にＲＦＩＤタグを持ち歩く必要があったが、第２実施形態では、イベント情報の受信側の通信端末がユーザへ通知するかどうかを判断するので、ユーザが常にＲＦＩＤタグを持ち歩く必要もない。
【００２８】
また、第２実施形態では、他の通信端末に報知（通知）する「自端末の状態に関する情報（イベント情報）」を「着信」に限定せず、「メール受信」や「ローバッテリ」等のイベント情報も報知（通知）できるようにすることにより、携帯電話や携帯端末等の通信端末を複数台保有している場合であっても、何れか１つの通信端末で受信したイベント情報を確認するだけで、他の近距離無線通信が可能な通信端末（イベント情報の通知元の通信端末）の状態を把握することが可能になる。
【００２９】
さらに、第２実施形態では、報知（通知）されたイベント情報を受信可能な通信端末の何れか１つで内容が確認された場合には、確認した通信端末からイベント情報の通知元の通信端末を含む他の近距離無線通信が可能な全ての通信端末にイベント確認済通知メッセージが送信されて、確認した通信端末および他の近距離無線通信が可能な全ての通信端末のイベント情報受信履歴に「イベント確認済」という情報が残るようにするので、複数の通信端末にイベント情報の報知（通知）を行ったため異なる通信端末で同じイベント情報を何度も確認するということを防止することができる。つまり、「イベント情報（イベント通知メッセージ）」を近距離無線通信エリア内の通信端末で共有化し、「確認結果に関する情報（イベント確認済通知メッセージ）」も他の通信端末と同期を取って共有化することが可能になる。
【図面の簡単な説明】
【００３０】
【図１】本発明の通信端末を含む無線通信システムの概略構成および第１実施形態における音声着信時の各端末の動作例を示す図である。
【図２】本発明の無線通信システムに用いる通信端末の機能ブロック図である。
【図３】本発明の通信端末がアドホック通信が可能な他の通信端末に対して報知する当該端末のイベントの設定例を示す図である。
【図４】本発明の通信端末で受信したイベント情報の受信履歴を例示する図である。
【図５】本発明の各通信端末間で送受信するメッセージを例示するシーケンス図である。
【図６】本発明の第１実施形態における音声着信時の各端末の他の動作例を示す図である。
【図７】本発明の第２実施形態における音声着信時の各端末の動作例を示す図である。
【図８】従来例の無線通信システムにおける音声着信時の各端末の動作例を示す図である。
【符号の説明】
【００３１】
１００  通信端末（端末Ａ）のアドホックエリア
１０１  端末Ａとのアドホック通信の受信レベルが閾値以上のエリア
１１０  基地局
１２０  通信端末（端末Ａ）
１３０  通信端末（端末Ｘ）
１４０  通信端末（端末Ｙ）
１５０  通信端末（端末Ｚ）
１６０  アンテナ
１７０  アドホック通信制御部
１８０  電波強度測定部
１９０  イベント検出部
２００  通知メッセージ管理部
２１０  表示部
２２０  制御部
２３０  記憶部
２４０  入力部
２５０  イベント通知メッセージ
２５１  イベント確認通知メッセージ
２５２  イベント確認済通知メッセージ
【図１】
2009206711.tif 000003
【図２】
2009206711.tif 000004
【図３】
2009206711.tif 000005
【図４】
2009206711.tif 000006
【図５】
2009206711.tif 000007
【図６】
2009206711.tif 000008
【図７】
2009206711.tif 000009
【図８】
2009206711.tif 000010